(57)【要約】【課題】      カーブコンベヤのベルトをトラフ形ローラで支持して搬送物の落下を防止するようにしているが、トラフ形ローラ面とベルトとの間で常にスリップして運転されているため、大きなスリップ音が発生し、かつローラの表面が摩耗すると共に、スリップによるベルト張力の増加にともない安定した運転ができない。【解決手段】  カーブコンベヤＡにおける所要カーブ部の前後のトラフ形ローラＢ間に複数本の並列するフリーコンベヤＣを配置すると共に、上記カーブコンベヤのベルト１裏面に上記フリーコンベヤのベルト６を接触させ、上記フリーコンベヤに並列ベルトの直進走行を保障する蛇行防止手段Ｄを設けた構成を採用する。【選択図】  図３
2007070020.tif 000002
【特許請求の範囲】
【請求項１】
カーブコンベヤにおける所要カーブ部の前後のトラフ形ローラ間に複数本の並列するフリーコンベヤを配置すると共に、上記カーブコンベヤのベルト裏面に上記フリーコンベヤのベルトを接触させ、上記フリーコンベヤに並列ベルトの直進走行を保障する蛇行防止手段を設けたことを特徴とするカーブコンベヤ用カーブ保持装置。
【発明の詳細な説明】
【技術分野】
【０００１】
この発明は、カーブコンベヤ用のカーブを安定よく保持する装置に関する。
【背景技術】
【０００２】
ヘッドプーリとテールプーリとの間に無端状のベルトをかけ渡し、そのベルトをカーブさせたカーブコンベヤにあっては、ベルトをトラフ形ローラで支持して、搬送物の落下を防止するようにしている。
【０００３】
上記の条件を満たすためのベルト移動調整方法としては、トラフ形のローラの取付角度をコンベヤ中心に対してスキューした位置でセットし、ローラとベルトの接線方向をコンベヤ中心線と角度を付け、この分力によりベルトにカーブ外向に行く力を発生させ、カーブ部分でのベルト張力による内向きの力とバランスさせて運転するようにしている（特許文献１の図４）。
【０００４】
また、上記以外にカーブコンベヤのカーブ部分でのベルトの張力変化や搬送物の有無などによるベルトがカーブの内側に引っ張られるのに追従してローラスタンドに求心力を作用させて、ローラスタンドのカーブの内、外方向のスライドにより傾動或いは支持点を中心にして回転させながらベルトの蛇行を矯正するようにしている（特許文献２、特許文献３）。
【０００５】
【特許文献１】特開平７−３１５５３６号公報
【特許文献２】特開平９−１７５６２７号公報
【特許文献３】特開平９−２０８０２４号公報
【発明の開示】
【発明が解決しようとする課題】
【０００６】
ところで、特許文献１のような方式によると、カーブの半径が小さかったり、又ベルト張力の最大値や変動値が大きすぎると、カーブ部分でベルトの内側と外側間を移動する変移値が大きくなりすぎてバランスしないようになる問題が発生する。
【０００７】
また、トラフ形ローラ面とベルト間では、常にスリップして運転されているので、ベルトの走行抵抗が増加すると共に、非常に大きなスリップ音が発生することがあり、前記スリップのため、ローラ表面が摩耗する問題があった。
【０００８】
その上、ベルトの走行抵抗の増加によりコンベヤの駆動動力が増加して電動機容量が大きくなり、同時に電動機盤や送電線のサイズの増加以外に運転電力費が増加し、又関連してベルトの最大張力が大きくなるので、強度の大きなベルトが必要になる。
【０００９】
このため、初期の設備費が大きくなり、運転費も大きくなる問題もあった。
【００１０】
さらに、特許文献２及び３の方式によると、トラフ形の各ローラを軸承する各ローラスタンドのスライドや旋回（勿論、ベルトの移動に追隨させる連動機構を含む）機能によって構造が煩雑になって設備費が大幅にアップする問題があった。
【００１１】
そこで、この発明は、上記の諸問題を解決してカーブ部分でベルトを安定して運転できるようにしたカーブコンベヤ用カーブ保持装置を提供することにある。
【課題を解決するための手段】
【００１２】
上記の課題を解決するために、この発明は、カーブコンベヤにおける所要カーブ部の前後のトラフ形ローラ間に複数本の並列するフリーコンベヤを配置すると共に、上記カーブコンベヤのベルト裏面に上記フリーコンベヤのベルトを接触させ、上記フリーコンベヤに並列ベルトの直進走行を保障する蛇行防止手段を設けた構成を採用する。
【００１３】
上記のように構成すると、カーブコンベヤのベルトとフリーコンベヤのベルトとの接触によって両コンベヤのベルト重なり面のスリップがない。
【００１４】
このため、カーブコンベヤの安定した運転が保障される。
【発明の効果】
【００１５】
以上のように、この発明のカーブコンベヤ用カーブ保持装置によれば、カーブコンベヤのカーブ部分に短機長のフリーコンベヤを設置すると共に、フリーコンベヤのベルト上にカーブコンベヤのベルトが乗って運転するので、カーブコンベヤとフリーコンベヤの重なる両ベルト間のスリップがない。
【００１６】
このため、スリップによる動力やベルト張力の増加がないと共に、電動機の容量の増加やベルトのグレードアップの必要がなく、カーブコンベヤの安定した運転が保障できる。
【００１７】
そして、スリップ音の発生がないので、カーブ部分周囲の環境もよくなると共に、トラフ形ローラやベルトの耐久性も大幅に向上される。
【００１８】
また、蛇行防止手段によりフリーコンベヤのベルトの直進走行を保障して、カーブコンベヤの蛇行をなくするため、重なり合う（接触した）両ベルトの摩擦力を有効に伝え、フリーコンベヤに乗ってカーブコンベヤのカーブ部分を安定して走行させることができる。
【発明を実施するための最良の形態】
【００１９】
以下、この発明の実施の形態を添付図面に基づいて説明する。
【００２０】
この発明の実施形態の図１から図６に示すＡは、カーブコンベヤである。
【００２１】
上記のカーブコンベヤＡは、周知のようにドライブ機能付のヘッドプーリ及びテールプーリ（図示省略）にかけ渡してカーブさせた無端状のベルト１と、このベルト１を荷こぼれ防止のトラフ形に支持するトラフ形ローラＢで構成されている。
【００２２】
上記のトラフ形ローラＢは、センタローラ２と、このセンタローラ２に対し所要の角度をもって傾斜する左右一対のサイドローラ３、３とから成り、カーブ部にあっては、図２に示すように内カーブ側のサイドローラ３に対外カーブ側のサイドローラ３の傾斜角を大きくしてある。
【００２３】
なお、上記のセンタローラ２及びサイドローラ３は、コンベヤフレーム４にスタンド５を介し支持させてある。
【００２４】
また、カーブコンベヤＡの所要のカーブ部には、図１に示すように前後のトラフ形ローラＢ間に納まる短機長で、複数本の並列するフリーコンベヤＣが配置されて、カーブコンベヤＡのベルト１の往行側裏面にフリーコンベヤＣのベルト６の往行側表面を接触させてある。
【００２５】
この接触によってベルト６に対しベルト１を圧縮して、ベルト１と共にベルト６を走行させるようにしてある。
【００２６】
なお、フリーコンベヤＣは、カーブ部の全長にわたって隣接して（点在的に）配置するのが望ましいが、カーブ部におけるカーブコンベヤＡのベルト１に作用する内側向けや外側向きの作用力に対しベルト１とベルト６間の摩擦力が大きい場合は、フリーコンベヤＣ間にトラフ形ローラＢを設置するなど、或いはフリーコンベヤＣの短機長の長さを適宜決定すればよい。
【００２７】
上記フリーコンベヤＣの並列するベルト６の本数は、図３に示す場合ベルト１のトラフ形状にあわせてセンタ及び両サイドのテールプーリ７と、センタ及び両サイドのヘッドプーリ８との間に三本の無端状のベルト６をかけ渡したが、本数は限定されず、図５に示すように本数を多くすることもある。
【００２８】
さらに、フリーコンベヤＣは、ベルト６の直進走行を保障する蛇行防止手段Ｄが設けてある。
【００２９】
上記の蛇行防止手段Ｄとしては、例えば図３、４に示すように、テールプーリ７とヘッドプーリ８の外周に設けてある環状溝９にベルト６の裏面全長に設けてある突出条１０を嵌め込むか、或いは図５、６に示すように、ベルト６に多数本１組のＶベルトを用い、このＶベルト６をテールプーリ７及びヘッドプーリ８の外周多数本の並列環状溝９に嵌め込んでかけ渡すことによって目的を達成することができる。
【００３０】
図中１１はスタンドである。
【００３１】
上記のように構成すると、カーブコンベヤＡのベルト１の張力や搬送物Ｘの自重によりトラフ形ローラＢがカーブ外側に傾斜している分力により外側に寄せられる力が発生する。
【００３２】
このとき、フリーコンベヤＣのベルト６は、常にカーブコンベヤＡのベルトの中心線方向に走行しており、重なり合うベルト１及びベルト６間の摩擦力が、上記の内側及び外側向きの力より大きい場合は、ベルト１がベルト６の上に乗って（スリップがなく）カーブ部分での安定した走行を保障する。
【００３３】
すなわち、スリップによるベルト１の張力や動力の増加がない。
【図面の簡単な説明】
【００３４】
【図１】この発明の実施形態を示す平面図
【図２】トラフ形ローラを示す縦断拡大正面図
【図３】カーブコンベヤとフリーコンベヤの部分の縦断正面図
【図４】同上の一部切欠側面図
【図５】フリーコンベヤの他の例を示す縦断正面図
【図６】同上の一部切欠側面図
【符号の説明】
【００３５】
Ａ      カーブコンベヤ
Ｂ      トラフ形ローラ
Ｃ      フリーコンベヤ
Ｄ      蛇行防止手段
１、６  ベルト
２      センタローラ
３      サイドローラ
４      コンベヤフレーム
５      スタンド
７      テールプーリ
８      ヘッドプーリ
９      環状溝
１０    突出条
【図１】
2007070020.tif 000003
【図２】
2007070020.tif 000004
【図３】
2007070020.tif 000005
【図４】
2007070020.tif 000006
【図５】
2007070020.tif 000007
【図６】
2007070020.tif 000008